(57)【特許請求の範囲】
【請求項１】
円筒の内壁面に設けた導体と、
上記円筒の外壁面に、上記円筒の軸方向と平行でかつ上記円筒の軸に対して対称に設けた一対の帯状導体と、
上記一対の帯状導体の一端に接続され、上記一対の帯状導体に１８０度の位相差のある電力を出力する１８０度分配回路とを備え、
上記一対の帯状導体の他端にヘリカルアンテナを接続することを特徴とするアンテナ給電回路。
【請求項２】
一対の帯状導体に、ヘリカルアンテナとの接続におけるインピーダンス整合回路を備えたことを特徴とする請求項１記載のアンテナ給電回路。
【請求項３】
インピーダンス整合回路として、容量性の素子を使用することを特徴とする請求項２記載のアンテナ給電回路。
【請求項４】
インピーダンス整合回路として、蛇行状の線路を使用することを特徴とする請求項２記載のアンテナ給電回路。
【請求項５】
インピーダンス整合回路として、ショートスタブを使用することを特徴とする請求項２記載のアンテナ給電回路。
【請求項６】
１８０度分配回路が、
入力端子に対してＴ分岐した一対の出力端子を有するＴ分岐回路と、
上記一方の出力端子に接続され、使用周波数の電気長で１／２波長となる線路とを
備えたことを特徴とする請求項１記載のアンテナ給電回路。
【請求項７】
１８０度分配回路が、
入力端子を構成する第１のマイクロストリップ線路に対してＴ分岐した出力端子を構成する第２及び第３のマイクロストリップ線路を有するＴ分岐回路と、
上記第１のマイクロストリップ線路に直交し、使用周波数の電気長で１／２波長となるスロットとを備え、
上記第１のマイクロストリップ線路が、上記スロットに対して上記入力端子の入力側と反対側に短絡端を有し、
上記第２のマイクロストリップ線路が、上記スロットに対して上記入力端子の入力側に配線されると共に、上記入力端子の入力側と反対側に短絡端を有し、
上記第３のマイクロストリップ線路が、上記スロットに対して上記入力端子の入力側と反対側に配線されると共に、上記入力端子の入力側に短絡端を有する
ことを特徴とする請求項１記載のアンテナ給電回路。
【請求項８】
円筒の内壁面に設けた導体と、
上記円筒の外壁面に、上記円筒の軸方向と平行でかつ上記円筒の軸に対して対称に設けた第１及び第２の一対の帯状導体と、
上記第１及び第２の一対の帯状導体の一端にそれぞれ接続され、上記第１及び第２の一対の帯状導体に１８０度の位相差のある電力をそれぞれ出力する第１及び第２の１８０度分配回路と、
上記第１及び第２の１８０度分配回路に９０度の位相差のある電力を出力する９０度分配回路とを備え、
上記第１及び第２の一対の帯状導体の他端に４線巻きヘリカルアンテナを接続することを特徴とするアンテナ給電回路。
【請求項９】
円筒の内壁面に設けた導体と、
上記円筒の外壁面に、上記円筒の軸方向と平行でかつ上記円筒の軸に対して対称に設けた第１，第２，第３及び第４の一対の帯状導体と、
上記第１，第２，第３及び第４の一対の帯状導体の一端にそれぞれ接続され、上記第１，第２，第３及び第４の一対の帯状導体に１８０度の位相差のある電力をそれぞれ出力する第１，第２，第３及び第４の１８０度分配回路と、
上記第１及び第３の１８０度分配回路と上記第２及び第４の１８０度分配回路に９０度の位相差のある電力をそれぞれ出力する第１及び第２の９０度分配回路とを備え、
上記第１，第２，第３及び第４の一対の帯状導体の他端に８線巻きヘリカルアンテナを接続することを特徴とするアンテナ給電回路。
【発明の詳細な説明】
【０００１】
【発明の属する技術分野】
この発明はヘリカルアンテナのアンテナ給電回路に関するものであり、特に２線巻き、４線巻き、又は８線巻きヘリカルアンテナのアンテナ給電回路に関するものである。
【０００２】
【従来の技術】
従来、この種のアンテナ給電回路として、例えば、Ｍｉｃｒｏｗａｖｅ  Ｊｏｕｒｎａｌ，Ｄｅｃ．，１９７０，ｐｐ４９−５３に掲載された，”Ｒｅｓｏｎａｎｔ  Ｑｕａｄｒｉｆｉｌａｒ  Ｈｅｌｉｘ  Ａｎｔｅｎｎａ”のＦｉｇ６  １／４  ｔｕｒｎ  ｖｏｌｕｔｅ  ｗｉｔｈ  ｓｐｌｉｔ  ｓｈｅａｔｈ  ｂａｌｕｎに開示されたものがある。
【０００３】
図１２は、従来のアンテナ給電回路を示す図であり、上記ＭｉｃｒｏｗａｖｅＪｏｕｒｎａｌに掲載された１／４  ｔｕｒｎ  ｖｏｌｕｔｅ  ｗｉｔｈ  ｓｐｌｉｔ  ｓｈｅａｔｈ  ｂａｌｕｎの概観図である。図において、６１は第１のヘリカルアンテナ、６２は第２のヘリカルアンテナ、６３は給電用の同軸ケーブル、６４は同軸ケーブル６３の外導体に切られた１／４波長のスリット、６５は同軸ケーブル６３の内導体に設けられたインピーダンス変換部、６６は第１，第２のヘリカルアンテナ６１，６２の給電点である。
【０００４】
第１，第２のヘリカルアンテナ６１，６２は、その動作状態からすると、平行２線線路のような平衡形の線路とみなすことができる。従って、同軸ケーブル６３のような不平衡形の線路を接続して給電する場合、第１，第２のヘリカルアンテナ６１，６２と同軸ケーブル６３の間に平衡−不平衡変換器を必要とする。そこで、図１２に示すような同軸ケーブル６３，１／４波長のスリット６４，インピーダンス変換部６５からなるバランを設けている。このバランは、平衡形の線路と不平衡形の線路を接続した場合に生じる不要電流を打ち消す機能も果たしている。
【０００５】
また、従来のアンテナ給電回路として、特開昭６３−３０００６号公報に開示されたものがある。これは、同軸ケーブルの外部導体に１／４波長のスリットを備え、同一ピッチ角の２対のアンテナ素子に対応して、２対の脚部を有する接続片により各アンテナ素子の一端を接続して、組立の作業性と寸法精度を改善するものである。
【０００６】
【発明が解決しようとする課題】
従来のアンテナ給電回路は以上のように構成されていたので、バランが軸方向に１／４波長とある程度の長さを要すること、また、アンテナを含めた系で長さを短縮しようとした場合、アンテナと共に同軸構造にする必要があり、構造が複雑になるという課題があった。
【０００７】
この発明は上記のような課題を解決するためになされたもので、バラン等の平衡−不平衡変換器が不要な、構造が簡単なアンテナ給電回路を得ることを目的とする。
【０００８】
【課題を解決するための手段】
この発明に係るアンテナ給電回路は、円筒の内壁面に設けた導体と、上記円筒の外壁面に、上記円筒の軸方向と平行でかつ上記円筒の軸に対して対称に設けた一対の帯状導体と、上記一対の帯状導体の一端に接続され、上記一対の帯状導体に１８０度の位相差のある電力を出力する１８０度分配回路とを備え、上記一対の帯状導体の他端にヘリカルアンテナを接続するものである。
【０００９】
この発明に係るアンテナ給電回路は、一対の帯状導体に、ヘリカルアンテナとの接続におけるインピーダンス整合回路を備えたものである。
【００１０】
この発明に係るアンテナ給電回路は、インピーダンス整合回路として、容量性の素子を使用するものである。
【００１１】
この発明に係るアンテナ給電回路は、インピーダンス整合回路として、蛇行状の線路を使用するものである。
【００１２】
この発明に係るアンテナ給電回路は、インピーダンス整合回路として、ショートスタブを使用するものである。
【００１３】
この発明に係るアンテナ給電回路は、１８０度分配回路が、入力端子に対してＴ分岐した一対の出力端子を有するＴ分岐回路と、上記一方の出力端子に接続され、使用周波数の電気長で１／２波長となる線路とを備えたものである。
【００１４】
この発明に係るアンテナ給電回路は、１８０度分配回路が、入力端子を構成する第１のマイクロストリップ線路に対してＴ分岐した出力端子を構成する第２及び第３のマイクロストリップ線路を有するＴ分岐回路と、上記第１のマイクロストリップ線路に直交し、使用周波数の電気長で１／２波長となるスロットとを備え、上記第１のマイクロストリップ線路が、上記スロットに対して上記入力端子の入力側と反対側に短絡端を有し、上記第２のマイクロストリップ線路が、上記スロットに対して上記入力端子の入力側に配線されると共に、上記入力端子の入力側と反対側に短絡端を有し、上記第３のマイクロストリップ線路が、上記スロットに対して上記入力端子の入力側と反対側に配線されると共に、上記入力端子の入力側に短絡端を有するものである。
【００１５】
この発明に係るアンテナ給電回路は、円筒の内壁面に設けた導体と、上記円筒の外壁面に、上記円筒の軸方向と平行でかつ上記円筒の軸に対して対称に設けた第１及び第２の一対の帯状導体と、上記第１及び第２の一対の帯状導体の一端にそれぞれ接続され、上記第１及び第２の一対の帯状導体に１８０度の位相差のある電力をそれぞれ出力する第１及び第２の１８０度分配回路と、上記第１及び第２の１８０度分配回路に９０度の位相差のある電力を出力する９０度分配回路とを備え、上記第１及び第２の一対の帯状導体の他端に４線巻きヘリカルアンテナを接続するものである。
【００１６】
この発明に係るアンテナ給電回路は、円筒の内壁面に設けた導体と、上記円筒の外壁面に、上記円筒の軸方向と平行でかつ上記円筒の軸に対して対称に設けた第１，第２，第３及び第４の一対の帯状導体と、上記第１，第２，第３及び第４の一対の帯状導体の一端にそれぞれ接続され、上記第１，第２，第３及び第４の一対の帯状導体に１８０度の位相差のある電力をそれぞれ出力する第１，第２，第３及び第４の１８０度分配回路と、上記第１及び第３の１８０度分配回路と上記第２及び第４の１８０度分配回路に９０度の位相差のある電力をそれぞれ出力する第１及び第２の９０度分配回路とを備え、上記第１，第２，第３及び第４の一対の帯状導体の他端に８線巻きヘリカルアンテナを接続するものである。
【００１７】
【発明の実施の形態】
以下、この発明の実施の一形態を説明する。
実施の形態１．
図１はこの発明の実施の形態１によるアンテナ給電回路の構成を示す図である。図において、１は円筒であり、５ａ，５ｂは円筒１の外壁面に軸方向と平行になるように、かつ上記円筒１の軸を対称軸として設けた一対の帯状導体、６は円筒１の内壁全面に設けた導体である。この帯状導体５ａ，５ｂ、円筒１及び導体６により、それぞれマイクロストリップ線路を構成している。
【００１８】
また、図１において、２は帯状導体５ａ，５ｂの一端に接続された互いに１８０度の位相差をつけて電力を分配する１８０度分配回路、３は帯状導体５ａ，５ｂの他端に接続された２線巻きヘリカルアンテナ（ヘリカルアンテナ）、４は１８０度分配回路２に電力を供給する無線回路である。
【００１９】
次に動作について説明する。
図２は円筒１の断面図であり、帯状導体５ａ，５ｂと導体６に流れる電流の向きを示している。一対の帯状導体５ａ，５ｂには、１８０度の位相差をつけた１８０度分配回路２が接続されているため、帯状導体５ａ，５ｂには逆方向の電流７ａ，７ｂが流れ、導体６における帯状導体５ａ，５ｂのそれぞれに相対する部分には、マイクロストリップ線路の構造を成しているために、帯状導体５ａ，５ｂのそれぞれに対して逆方向の電流８ａ，８ｂが流れる。従って、円筒１の内壁全面の導体６には逆方向の電流８ａ，８ｂが流れている。
【００２０】
図３は円筒１の外壁面に設けられた一つの帯状導体５ａの一端に２線巻きヘリカルアンテナ３を接続したときの電流の流れる様子を示した図である。帯状導体５ａを流れる電流７ａは、２線巻きヘリカルアンテナ３にそのまま電流９として流れる。しかし、帯状導体５ａを流れる電流７ａに対応する導体６の内壁面を流れる電流８ａに対応して、導体６の反対側に電流８ａと逆向きに、不要電流１０ａが流れようとする。帯状導体５ｂ側も同様な状態になっており、不要電流１０ａと逆向きに不要電流１０ｂが流れようとする。この不要電流１０ａ，１０ｂは、１８０度分配回路２や無線回路４の方へ流れ、不要電波として放射され、アンテナ系としての動作に影響を与える。
【００２１】
図４は円筒１の断面図であり、２線巻きヘリカルアンテナ３を接続したときの帯状導体５ａ，５ｂと導体６に流れる電流の向きを示している。図に示すように、帯状導体５ａ，５ｂに対する不要電流１０ａ，１０ｂは、お互いに逆向きに流れるが、円筒１の内壁全面に設けられた導体６によって電気的に接続されているため、不要電流１０ａ，１０ｂはお互いに打ち消し合い、不要電流の影響はなくなる。そのため、従来の技術で使用していたバラン等の平衡−不平衡変換器は不要となる。
【００２２】
以上のように、この実施の形態１によれば、円筒１の外壁面に設けた一対の帯状導体５ａ，５ｂと、円筒１の内壁全面に設けた導体６により、それぞれマイクロストリップ線路を形成し、１８０度分配回路２により一対の帯状導体５ａ，５ｂに１８０度位相差のある電力を出力することにより、不要電流を抑えることができ、バラン等の平衡−不平衡変換器は不要となり、構造が簡単なアンテナ給電回路を実現することができるという効果が得られる。
【００２３】
実施の形態２．
図５はこの発明の実施の形態２によるアンテナ給電回路の構成を示す図である。図において、１１ａ，１１ｂは帯状導体５ａ，５ｂの途中に設けられたチップコンデンサ（容量性の素子）である。ここでは、チップコンデンサに限らず、容量性のものであれば、他の物でも良い。その他の符号は、実施の形態１の図１に示すものと同等のものである。
【００２４】
次に動作について説明する。
円筒１の外壁面に設けられた帯状導体５ａ，５ｂと、円筒１の内壁全面に設けられた導体６は、それぞれマイクロストリップ線路を形成しているので、実施の形態１と同様に不要電流を打ち消している。さらに帯状導体５ａ，５ｂの途中に設けられたチップコンデンサ１１ａ，１１ｂにより、２線巻きヘリカルアンテナ３との接続におけるインピーダンス整合をとる。
【００２５】
以上のように、この実施の形態２によれば、構造が簡単なアンテナ給電回路を実現することができると共に、インピーダンス整合をとるためのチップコンデンサ１１ａ，１１ｂにより、電力を効率良く２線巻きヘリカルアンテナ３に供給し放射効率を向上させることができるという効果が得られる。
【００２６】
実施の形態３．
図６はこの発明の実施の形態３によるアンテナ給電回路の構成を示す図である。図において、１２ａ，１２ｂは帯状導体５ａ，５ｂの途中に設けられた蛇行状の線路である。その他の符号は、実施の形態１の図１に示すものと同等のものである。
【００２７】
次に動作について説明する。
円筒１の外壁面に設けられた帯状導体５ａ，５ｂと、円筒１の内壁全面に設けられた導体６は、それぞれマイクロストリップ線路を形成しているので、実施の形態１と同様に不要電流を打ち消している。さらに、帯状導体５ａ，５ｂの途中に設けられた蛇行状の線路１２ａ，１２ｂにより、２線巻きヘリカルアンテナ３との接続におけるインピーダンス整合をとる。
【００２８】
以上のように、この実施の形態３によれば、構造が簡単なアンテナ給電回路を実現することができると共に、インピーダンス整合をとるための蛇行状の線路１２ａ，１２ｂにより、電力を効率良く２線巻きヘリカルアンテナ３に供給し放射効率を向上させることができるという効果が得られる。
【００２９】
実施の形態４．
図７はこの発明の実施の形態４によるアンテナ給電回路の構成を示す図である。図において、１３ａ，１３ｂは帯状導体５ａ，５ｂの途中に設けられたショートスタブである。その他の符号は、実施の形態１の図１に示すものと同等のものである。
【００３０】
次に動作について説明する。
円筒１の外壁面に設けられた帯状導体５ａ，５ｂと、円筒１の内壁全面に設けられた導体６は、それぞれマイクロストリップ線路を形成しているので、実施の形態１と同様に不要電流を打ち消している。さらに、帯状導体５ａ，５ｂの途中に設けられたショートスタブ１３ａ，１３ｂにより、２線巻きヘリカルアンテナ３との接続におけるインピーダンス整合をとる。
【００３１】
以上のように、この実施の形態４によれば、構造が簡単なアンテナ給電回路を実現することができると共に、インピーダンス整合をとるためのショートスタブ１３ａ，１３ｂにより、電力を効率良く２線巻きヘリカルアンテナ３に供給し放射効率を向上させることができるという効果が得られる。
【００３２】
実施の形態５．
図８はこの発明の実施の形態５によるアンテナ給電回路における１８０度分配回路の構成を示す図である。図において、２１はマイクロストリップ線路によるＴ分岐回路の入力端子、２２ａはマイクロストリップ線路によるＴ分岐回路の一方の出力端子、２３ａはマイクロストリップ線路によるＴ分岐回路のもう一方の出力端子、２４は動作周波数における電気長（１／２波長）で１８０度の位相を有する遅延マイクロストリップ線路（線路）、２２ｂ，２３ｂはマイクロストリップ線路（線路）である。
【００３３】
次に動作について説明する。
入力端子２１から入力された電力は、出力端子２２ａ，２３ａに等振幅、等位相で分配される。出力端子２３ａに接続される遅延マイクロストリップ線路２４により、マイクロストリップ線路２３ｂの電力は、位相が１８０度遅れ、マイクロストリップ線路２２ｂ，２３ｂには、結果として、等振幅、１８０度位相差のついた電力が出力される。
【００３４】
以上のように、この実施の形態５によれば、構造が簡単なアンテナ給電回路を実現することができるという効果が得られる。
【００３５】
実施の形態６．
図９はこの発明の実施の形態６によるアンテナ給電回路における１８０度分配回路の構成を示す図である。図において、３１はマイクロストリップ線路によるＴ分岐回路の入力端子、３５はマイクロストリップ線路３１の地板にマイクロストリップ線路３１と直交するように設けられた電気長で約半波長のスロットであり、３４はマイクロストリップ線路３１がスロット３５を跨いだ位置に設けられたスルーホール（短絡端）であり、マイクロストリップ線路３１は、このスルーホール３４により地板にショートされる。
【００３６】
また、図９において、３２は、マイクロストリップ線路３１と同じ側からスロット３５を跨ぎ、スルーホール３４で地板にショートされるマイクロストリップ線路であり、３３はマイクロストリップ線路３１と反対側からスロット３５を跨ぎ、スルーホール３４で地板にショートされるマイクロストリップ線路である。
【００３７】
次に動作について説明する。
マイクロストリップ線路３１から入力された電力は、マイクロストリップ線路３１を伝搬して、スロット３５に電界を誘起する。スロット３５に誘起された電界はスロット３５をマイクロストリップ線路３１と同じ側から跨ぐマイクロストリップ線路３２に、マイクロストリップ線路３１で励振される電界と同相で結合し伝搬していく。
【００３８】
また、マイクロストリップ線路３３は、スロット３５をマイクロストリップ線路３１とは反対側から跨ぐため、スロット３５の電界がマイクロストリップ線路３３にはマイクロストリップ線路３１で励振される電界と逆相で結合する。従って、マイクロストリップ線路３２と３３には逆相、すなわち、１８０度位相差がついた電界が伝搬していくことになり、系全体として１８０度位相差分配回路として動作する。
【００３９】
以上のように、この実施の形態６によれば、構造が簡単なアンテナ給電回路を実現することができるという効果が得られる。
【００４０】
実施の形態７．
図１０はこの発明の実施の形態７によるアンテナ給電回路の構成を示す図である。図において、１は円筒であり、５ａ，５ｃは円筒１の外壁面に軸方向と平行になるように、かつ上記円筒１の軸を対称軸として設けた一対の帯状導体、５ｂ，５ｄは円筒１の外壁面に軸方向と平行になるように、かつ上記円筒１の軸を対称軸として設けた一対の帯状導体、６は円筒１の内壁全面に設けた導体である。この帯状導体５ａ，５ｂ、５ｃ，５ｄ，円筒１及び導体６により、それぞれマイクロストリップ線路を構成している。
【００４１】
また、図１０において、２ａは、一対の帯状導体５ａ，５ｃの一端に接続された互いに１８０度の位相差をつけて電力を分配する１８０度分配回路、２ｂは、一対の帯状導体５ｂ，５ｄの一端に接続された互いに１８０度の位相差をつけて電力を分配する１８０度分配回路、４１は、帯状導体５ａ，５ｂ，５ｃ，５ｄの他端に接続された４線巻きヘリカルアンテナ、４２は９０度の位相差をつけて１８０度分配回路２ａ，２ｂに電力を分配する９０度分配回路、４は９０度分配回路４２に電力を供給する無線回路である。
【００４２】
次に動作について説明する。
円筒１の外壁面に設けられた帯状導体５ａ，５ｂ，５ｃ，５ｄと内壁全面の導体６により、４つのマイクロストリップ線路が形成される。４つの帯状導体５ａ，５ｂ，５ｃ，５ｄは、２つの１８０度分配回路２ａ，２ｂに接続され、帯状導体線路５ａは帯状導体５ｃと、帯状導体５ｂは帯状導体５ｄといったように相対する２組にまとめられる。そして、帯状導体５ａ，５ｂ，５ｃ，５ｄは、もう一端を４線巻きヘリカルアンテナ４１の各素子に接続される。
【００４３】
帯状導体５ａ，５ｂ，５ｃ，５ｄの各組は、１８０度分配回路２ａ，２ｂに接続されているため、実施の形態１と同様に不要電流を打ち消すことができる。さらに２つの１８０度分配回路２ａ，２ｂは、９０度分配回路４２により入力信号に９０度位相差が与えられる。そのため、１８０度分配回路２ａ，２ｂに接続された帯状導体５ａ，５ｂ，５ｃ，５ｄと、それに接続する４線巻きヘリカルアンテナ４１の各素子には円周方向９０度ずつの位相差が与えられる。
【００４４】
以上のように、この実施の形態７によれば、円筒１の外壁面に設けた帯状導体５ａ，５ｂ，５ｃ，５ｄと、円筒１の内壁全面に設けた導体６により、それぞれマイクロストリップ線路を形成し、１８０度分配回路２ａ、２ｂにより帯状導体５ａ，５ｃ，及び帯状導体５ｂ，５ｄにそれぞれ１８０度位相差のある電力を出力することにより、不要電流を抑えることができ、バラン等の平衡−不平衡変換器は不要となり、構造が簡単なアンテナ給電回路を実現することができると共に、円筒１の内壁面及び外壁面を均等に分割して扱うことにより、多素子のアンテナ給電回路を統合することができるという効果が得られる。
【００４５】
実施の形態８．
図１１はこの発明の実施の形態８によるアンテナ給電回路の構成を示す図である。図において、１は円筒であり、５ａ，５ｅは円筒１の外壁面に軸方向と平行になるように、かつ上記円筒１の軸を対称軸として設けた一対の帯状導体、５ｂ，５ｆは円筒１の外壁面に軸方向と平行になるように、かつ上記円筒１の軸を対称軸として設けた一対の帯状導体、５ｃ，５ｇは円筒１の外壁面に軸方向と平行になるように、かつ上記円筒１の軸を対称軸として設けた一対の帯状導体、５ｄ，５ｈは円筒１の外壁面に軸方向と平行になるように、かつ上記円筒１の軸を対称軸として設けた一対の帯状導体、６は円筒１の内壁全面に設けた導体である。この帯状導体５ａ，５ｂ，５ｃ，５ｄ，５ｅ，５ｆ，５ｇ，５ｈ，円筒１及び導体６により、それぞれマイクロストリップ線路を構成している。
【００４６】
また、図１１において、２ａは、一対の帯状導体５ａ，５ｅの一端に接続された互いに１８０度の位相差をつけて電力を分配する１８０度分配回路、２ｂは、一対の帯状導体５ｂ，５ｆの一端に接続された互いに１８０度の位相差をつけて電力を分配する１８０度分配回路、２ｃは、一対の帯状導体５ｃ，５ｇの一端に接続された互いに１８０度の位相差をつけて電力を分配する１８０度分配回路、２ｄは、一対の帯状導体５ｄ，５ｈの一端に接続された互いに１８０度の位相差をつけて電力を分配する１８０度分配回路である。
【００４７】
さらに、図１１において、５１は、帯状導体５ａ，５ｂ，５ｃ，５ｄ，５ｅ，５ｆ，５ｇ，５ｈの他端に接続された８線巻きヘリカルアンテナ、４２ａは９０度の位相差をつけて１８０度分配回路２ａ，２ｃに電力を分配する９０度分配回路、４２ｂは９０度の位相差をつけて１８０度分配回路２ｂ，２ｄに電力を分配する９０度分配回路、４ａは９０度分配回路４２ａに電力を供給する無線回路、４ｂは９０度分配回路４２ｂに電力を供給する無線回路である。
【００４８】
次に動作ついて説明する。
円筒１の外壁面に設けられた帯状導体５ａ，５ｂ，５ｃ，５ｄ，５ｅ，５ｆ，５ｇ，５ｈと内壁全面の導体６により、それぞれ８つのマイクロストリップ線路が形成される。８つの帯状導体５ａ，５ｂ，５ｃ，５ｄ，５ｅ，５ｆ，５ｇ，５ｈは、４つの１８０度分配回路２ａ，２ｂ，２ｃ，２ｄに接続され、帯状導体５ａは帯状導体５ｅと、帯状導体５ｂは帯状導体５ｆと、帯状導体５ｃは帯状導体５ｇと、帯状導体５ｄは帯状導体５ｈといったように相対する４組にまとめられる。
【００４９】
そして、それぞれの帯状導体５ａ，５ｂ，５ｃ，５ｄ，５ｅ，５ｆ，５ｇ，５ｈは、もう一端を８線巻きヘリカルアンテナ５１の各素子に接続される。帯状導体５ａ，５ｂ，５ｃ，５ｄ，５ｅ，５ｆ，５ｇ，５ｈの各組は、１８０度分配回路２ａ，２ｂ，２ｃ，２ｄに接続されているため、実施の形態１と同様に不要電流を抑えることができる。
【００５０】
さらに、１８０度分配回路２ａ，２ｃへの入力電力は、９０度分配回路４２ａにより９０度の位相差が与えられるため、１８０度分配回路２ａに接続された帯状導体５ａと、１８０度分配回路２ｃに接続された帯状導体５ｃには、９０度の位相差が与えられる。そして、１８０度分配回路２ｂ，２ｄへの入力電力は、９０度分配回路４２ｂにより９０度の位相差が与えられるため、１８０度分配回路２ｂに接続された帯状導体５ｂと、１８０度分配回路２ｄに接続された帯状導体５ｄには、９０度の位相差が与えられる。
【００５１】
このようにして、８線巻きヘリカルアンテナ５１の一つ置きの各素子に対して、円周方向に９０度ずつの位相差が与えられることになり、８線巻きヘリカルアンテナ５１は、一つ置きの各素子に対して円周方向に９０度ずつの位相差が与えられた２組の４線巻きヘリカルアンテナとして動作する。
【００５２】
以上のように、この実施の形態８によれば、円筒１の外壁面に設けた帯状導体５ａ，５ｂ，５ｃ，５ｄ，５ｅ，５ｆ，５ｇ，５ｈと、円筒１の内壁全面に設けた導体６により、それぞれマイクロストリップ線路を形成し、１８０度分配回路２ａ，２ｂ，２ｃ，２ｄにより、帯状導体５ａ，５ｅ、帯状導体５ｂ，５ｆ、帯状導体５ｃ，５ｇ、及び帯状導体５ｄ，５ｈに、それぞれ１８０度位相差のある電力を出力することにより、不要電流を抑えることができ、バラン等の平衡−不平衡変換器は不要となり、構造が簡単なアンテナ給電回路を実現することができると共に、円筒１の内壁面及び外壁面を均等に分割して扱うことにより、多素子のアンテナ給電回路を統合することができるという効果が得られる。
【００５３】
【発明の効果】
以上のように、この発明によれば、円筒の内壁面に設けた導体と、円筒の外壁面に設けた一対の帯状導体とにより、マイクロストリップ線路を形成することにより、不要電流を抑えることができ、バラン等の平衡−不平衡変換器は不要となり、構造が簡単なアンテナ給電回路を実現することができるという効果がある。
【００５４】
この発明によれば、ヘリカルアンテナとの接続におけるインピーダンス整合回路を備えることにより、電力を効率良くヘリカルアンテナに供給し放射効率を向上させることができるという効果がある。
【００５５】
この発明によれば、円筒の外壁面に複数の一対の帯状導体を設けることにより、多素子のヘリカルアンテナのアンテナ給電回路を統合することができるという効果がある。
【図面の簡単な説明】
【図１】この発明の実施の形態１によるアンテナ給電回路の構成を示す図である。
【図２】この発明の実施の形態１による円筒の断面図であり、帯状導体と導体に流れる電流の向きを示す図である。
【図３】この発明の実施の形態１による帯状導体にヘリカルアンテナを接続したときの電流の流れる様子を示す図である。
【図４】この発明の実施の形態１による円筒の断面図であり、ヘリカルアンテナを接続したときの帯状導体と導体に流れる電流の向きを示す図である。
【図５】この発明の実施の形態２によるアンテナ給電回路の構成を示す図である。
【図６】この発明の実施の形態３によるアンテナ給電回路の構成を示す図である。
【図７】この発明の実施の形態４によるアンテナ給電回路の構成を示す図である。
【図８】この発明の実施の形態５によるアンテナ給電回路における１８０度分配回路の構成を示す図である。
【図９】この発明の実施の形態６によるアンテナ給電回路における１８０度分配回路の構成を示す図である。
【図１０】この発明の実施の形態７によるアンテナ給電回路の構成を示す図である。
【図１１】この発明の実施の形態８によるアンテナ給電回路の構成を示す図である。
【図１２】従来のアンテナ給電回路の構成を示す図である。
【符号の説明】
１  円筒、２，２ａ，２ｂ，２ｃ，２ｄ  １８０度分配回路、３  ２線巻きヘリカルアンテナ（ヘリカルアンテナ）、５ａ，５ｂ，５ｃ，５ｄ，５ｅ，５ｆ，５ｇ，５ｈ  帯状導体、６  導体、１１ａ，１１ｂ  チップコンデンサ（容量性の素子）、１２ａ，１２ｂ  蛇行状の線路、１３ａ，１３ｂ  ショートスタブ、２１  入力端子、２２ａ，２３ａ  出力端子、２４  遅延マイクロストリップ線路（線路）、３１，３２，３３  マイクロストリップ線路、３４  スルーホール（短絡端）、３５  スロット、４１  ４線巻きヘリカルアンテナ、４２，４２ａ，４２ｂ  ９０度分配回路、５１  ８線巻きヘリカルアンテナ。
【図１】
0003542505.tif 000002
【図２】
0003542505.tif 000003
【図３】
0003542505.tif 000004
【図４】
0003542505.tif 000005
【図５】
0003542505.tif 000006
【図６】
0003542505.tif 000007
【図７】
0003542505.tif 000008
【図８】
0003542505.tif 000009
【図９】
0003542505.tif 000010
【図１０】
0003542505.tif 000011
【図１１】
0003542505.tif 000012
【図１２】
0003542505.tif 000013